(57)【特許請求の範囲】
【請求項１】
記録ヘッドを移動させながら記録媒体に記録を行う記録動作と、搬送手段により前記記録媒体を前記記録ヘッドが移動する方向と交差する方向に搬送する搬送動作とを繰り返して画像の記録を行うインクジェット記録装置であって、
前記記録ヘッドと対向する位置において、前記記録媒体を支持するプラテンと、
前記記録媒体を前記プラテンに吸着させるための吸着力を発生する吸着力発生手段と、
前記吸着力発生手段が発生する前記吸着力、および前記搬送手段の駆動量を制御する制御手段と、を有し、
前記制御手段は、前記記録媒体の先端領域と後端領域の少なくともいずれかを前記プラテンに吸着させて前記記録動作および前記搬送動作を行うときは、前記先端領域と前記後端領域の間の中間領域を前記プラテンに吸着させて前記記録動作および前記搬送動作を行うときに比べて、前記吸着力発生手段が発生する前記吸着力を大きく且つ前記搬送動作における前記搬送手段の駆動量を大きくするよう制御することを特徴とするインクジェット記録装置。
【請求項２】
前記搬送手段は、前記記録ヘッドの上流側の第１ローラと下流側の第２ローラを含み、
前記先端領域は前記記録媒体の先端側から前記第１ローラと前記第２ローラの間の距離に相当する範囲の領域であり、前記後端領域は前記記録媒体の後端側から前記距離に相当する範囲の領域であり、前記中間領域は前記先端領域と前記後端領域の間の領域である、請求項１記載のインクジェット記録装置。
【請求項３】
前記制御手段は、（１）前記先端領域への記録の際に前記記録媒体が前記第１ローラで搬送され且つ前記第２ローラでは搬送されないとき、（２）前記中間領域への記録の際に前記記録媒体が前記第１ローラおよび第２ローラの双方で搬送されるとき、（３）前記後端領域への記録の際に前記記録媒体が前記第２ローラで搬送され且つ前記第１ローラでは搬送されないとき、それぞれにおいて前記吸着力と前記第１ローラ又は第２ローラの前記駆動量を制御する、請求項２記載のインクジェット記録装置。
【請求項４】
前記吸着力発生手段が発生する前記吸着力を検知するセンサを有し、前記制御手段は前記センサが検知した前記吸着力に応じて前記駆動量を決定する、請求項１から３の何れか１項に記載のインクジェット記録装置。
【請求項５】
前記制御手段は記録媒体の種類に応じて前記吸着力を設定し、設定された前記吸着力を発生するように前記吸着力発生手段を制御する、請求項１から４の何れか１項に記載のインクジェット記録装置。
【請求項６】
前記吸着力発生手段は、前記記録媒体を前記プラテンに吸着させるための負圧を発生させる手段を有する、請求項１から５の何れか１項に記載のインクジェット記録装置。
【請求項７】
前記吸着力発生手段は、前記記録媒体を前記プラテンに吸着させるための静電吸着力を発生させる手段を有する、請求項１から５の何れか１項に記載のインクジェット記録装置。
【発明の詳細な説明】
【技術分野】
【０００１】
本発明は、プラテンからの紙浮きを制御する吸着手段を有するインクジェット記録装置およびインクジェット記録装置の記録媒体搬送方法に関するものである。
【背景技術】
【０００２】
従来、インクジェット記録装置では、インクジェットヘッドの記録媒体の搬送方向上流側にて搬送を行う上流側搬送手段と、下流側において搬送をおこなう下流側搬送手段とを備えていた。
【０００３】
上流側および下流側搬送手段は、駆動ローラと、それと対向する位置に設けられ、バネ等の押圧手段により駆動ローラに対して弾性的に付勢されるピンチローラとにより構成されるのが一般的である。
【０００４】
上流側の駆動ローラである搬送ローラは、表面に微細な凹凸を形成して大きな摩擦力を発生できるように加工した金属製のローラである。また、下流側の駆動ローラである排出ローラに関してはゴム等の大きな摩擦係数を有する材料を用いたローラを使用するのが一般的に知られている。
【０００５】
搬送ローラに対して排出ローラは記録媒体のたるみ防止の目的により、０．３〜１％程度増速するようにローラ径が設定されている。このとき、下流側搬送手段の挟持力は上流側搬送手段よりも小さく設定されているため、記録媒体が双方に挟持されている場合、下流側搬送手段側にすべりを生じた状態で搬送されることになる。
【０００６】
また、インクジェット記録装置においては、インクがインクジェットヘッドの吐出口面から垂直に噴射されることが望ましいが、様々な要因で噴射方向が傾いてしまい、インクの着弾位置にずれが生じ、画質が悪化する場合がある。この場合、吐出口面と記録媒体との間の距離（ノズル高さ）が小さいほど着弾位置のずれは少なくてすむ。しかしノズル高さを低くすると、記録媒体のカール（反り）や浮き、記録媒体のインク吸収による波打ち等により記録媒体と吐出口面とが接触し、記録ヘッドの破壊や記録媒体にインク汚れが付着してしまうおそれがある。
【０００７】
このように記録媒体が浮き上がることを規制する為に、吸引プラテンを用いている。吸引プラテンとは箱状に形成された吸着箱の記録媒体接触面に多数の吸引口を穿設し、ファンによって内部から排気することによって負圧を発生させ、記録媒体の接触面に記録媒体を吸引させて保持することができる。
【０００８】
そして、現在の吸引プラテンは、プリンタ内に湿度センサを設け、検出した湿度に応じて、プラテンを介して発生する負圧を変えるように制御することが知られている（例えば特許文献１参照）。これは、紙の浮きが大きくなる環境において負圧を高めるように制御することで、記録媒体の浮き上がりを抑え、必要以上に負圧を高めることなく、装置の省力化、騒音の低減を可能としている。
【０００９】
次に、記録媒体の搬送量に関して説明する。従来搬送ローラによる記録媒体の搬送量は、搬送負荷（以下、バックテンションともいう）がかかっていない状態での搬送については、搬送に用いられた搬送ローラの外周面の長さと等しいと考えられていた。この考えに従えば、記録媒体の搬送量をＬｍ、搬送ローラの外径をＤ、搬送ローラの回転量をθ［ｄｅｇ］とすると記録媒体の搬送量Ｌｍは以下のように表わされる。
Ｌｍ＝π×Ｄ×（θ／３６０）
また、記録装置の構成によりバックテンションがかかると、搬送ローラと記録媒体との間でスリップが発生して記録媒体の搬送量Ｌｍは、搬送に用いられた搬送ローラの外周面の長さよりも短くなることがあった。この関係を式で表わすと、
Ｌｍ≦π×Ｄ×（θ／３６０）・・・（式１）
となる。なお、この搬送量Ｌｍの減少量は、記録媒体の種類によって異なるとされていた。このように、記録媒体の搬送量は、搬送ローラの外径と同等の移動量となるか、又は、スリップによりやや減少するものであり、減少の程度は記録媒体によって異なるというのが、従来の知見であった。
【００１０】
このような記録媒体の搬送量のズレ（以降、搬送誤差と記す）による記録品位の劣化を防止するために、記録媒体の種類毎に送り補正値をもって、搬送ローラの送り量を変える技術が開示されている（例えば特許文献２参照）。
【００１１】
このように記録媒体の種類によって搬送量を最適値に補正することで、ある程度の搬送誤差を補正することは可能である。
【先行技術文献】
【特許文献】
【００１２】
【特許文献１】特開２００７−２７６２９２号公報
【特許文献２】特登録０３０７０２３４号公報
【発明の概要】
【発明が解決しようとする課題】
【００１３】
しかしながら、上記装置では、以下の問題があった。
【００１４】
記録媒体毎に搬送量を補正する方法では、同一の記録媒体種でも、吸引プラテンの負圧（以後、プラテン吸引圧力と記す）が異ならせると、一定の搬送量で搬送されないため、記録画像にスジが発生するという問題があった。
【００１５】
とくに、狭持力の低い下流側の排出ローラのみで搬送し、記録動作を行う場合には、プラテン吸引圧力が搬送誤差に大きく影響し、画像劣化に繋がる。
【００１６】
本発明はこのような技術課題に鑑みてなされたものである。
【００１７】
本発明は、プラテン吸引圧力に応じて、送り補正値を設定し、画像品位を向上させることが出来るインクジェット記録装置を提供することを目的とする。
【課題を解決するための手段】
【００１８】
本発明は、記録ヘッドを移動させながら記録媒体に記録を行う記録動作と、搬送手段により前記記録媒体を前記記録ヘッドが移動する方向と交差する方向に搬送する搬送動作とを繰り返して画像の記録を行うインクジェット記録装置であって、前記記録ヘッドと対向する位置において、前記記録媒体を支持するプラテンと、前記記録媒体を前記プラテンに吸着させるための吸着力を発生する吸着力発生手段と、前記吸着力発生手段が発生する前記吸着力、および前記搬送手段の駆動量を制御する制御手段と、を有し、前記制御手段は、前記記録媒体の先端領域と後端領域の少なくともいずれかを前記プラテンに吸着させて前記記録動作および前記搬送動作を行うときは、前記先端領域と前記後端領域の間の中間領域を前記プラテンに吸着させて前記記録動作および前記搬送動作を行うときに比べて、前記吸着力発生手段が発生する前記吸着力を大きく且つ前記搬送動作における前記搬送手段の駆動量を大きくするよう制御することを特徴とする。
【発明の効果】
【００１９】
本発明によれば、プラテン吸引圧力に応じて送り補正値を設けることで、従来技術と比較して、スジ等の画像劣化を軽減することが可能となる。
【図面の簡単な説明】
【００２０】
【図１】本発明の実施形態であるインクジェット記録装置の斜視図である。
【図２】インクジェット記録装置の断面図である。
【図３】制御系を説明するブロック図である。
【図４】本発明を適応しうる温度・湿度の範囲を示す図である。
【図５】印字動作を説明する図である。
【図６】本発明の動作をしめすフローチャートである。
【図７】吸引圧力の切替ポイントを示した図である。
【図８】実施形態における２種類の領域の分割例を示す図である。
【図９】実施形態における記録媒体が搬送される過程における記録媒体と搬送ローラ及び排出ローラとの位置関係を説明する図である。
【発明を実施するための形態】
【００２１】
以下、本発明の実施形態に係るインクジェット記録装置について、図面を参照しながら説明する。
【００２２】
（実施形態１）
まずは本発明の実施形態に係るインクジェット記録装置の概略について述べる。図１は本発明の実施形態としてのインクジェット記録装置の全体構成を示す斜視図、図２は断面図である。
【００２３】
図１、図２において、インクジェット記録時は被記録媒体である記録媒体Ｐは、搬送ローラ１とこれに従動するピンチローラ２との間に挟まれ、搬送ローラ１の回転により、プラテン３上に案内、支持されながら図中矢印Ｙ方向に搬送される。搬送ローラ１は表面に微細な凹凸を形成して大きな摩擦力を発生できるように加工した金属製のローラである。ピンチローラ２は不図示のバネ等の押圧手段により搬送ローラ１に対して弾性的に付勢されている。プラテン３は、記録ヘッドであるインクジェットヘッド４のインク吐出面４ａに対向し、搬送ローラによって搬送された記録媒体Ｐをその案内面３ａで平面的に支持するように配置されている。案内面は複数の開口部３ｂが設けられ、プラテン３下方内部の空間３ｃと空気流路で連通している。プラテン３下方内部の空間３ｃが吸着力発生手段であるファン３０によって負圧にされると、負圧は開口部３ｂを介して記録媒体Ｐをプラテンの案内面に吸着する。これによって、記録媒体Ｐはある程度の平面性を維持できる。３１はファン３０を駆動するファンモータである。前記吸着力発生手段はポンプでもよい。
【００２４】
プラテン３上を搬送された記録媒体Ｐはその後、回転する排出ローラ１２とこれに従動する回転体である拍車１３との間に挟まれ、搬送される。排出ローラ１２は大きな摩擦係数を有するゴムローラである。拍車１３は不図示のバネ等の押圧手段により排出ローラ１２に対して弾性的に付勢されているが、画像記録後の記録媒体Ｐの表面への傷やへこみを防止するため、押圧力はピンチローラ２への押圧力の１／１０程度に設定されている。搬送ローラ１に対して排出ローラ１２は記録媒体Ｐのたるみ防止の目的により、１％程度増速するようにローラ径が設定されている。記録媒体Ｐが搬送ローラ１、ピンチローラ２と排出ローラ１２、拍車１３の双方に挟持されている場合、その挟持力の違いから記録媒体Ｐは排出ローラ１２との間にすべりを生じた状態で搬送されることになる。画像記録が実施された後、排出ローラ１２の回転によりプラテン３上から排紙トレイ１５上に排出される。
【００２５】
また、搬送方向Ｙと交差する方向における記録媒体Ｐの端部がインクジェットヘッド４の方に浮き上がることを規制する為にプラテン３上に記録媒体押さえ１４が設けられている。インクジェットヘッド４は記録媒体Ｐに向かってインクを吐出する姿勢で、キャリッジモータ２２（図３）等の駆動手段により２本のガイドレール５，６に沿って往復移動されるキャリッジ７に着脱可能に搭載されている。このキャリッジ移動方向は記録媒体搬送方向（矢印Ｙ方向）と交差する方向であり、主走査方向と呼ばれる。これに対し、記録媒体搬送方向は副走査方向と呼ばれている。
【００２６】
次に、上述した装置のインクジェットプリンタを実行するための制御構成について、図３に示すブロック図を参照して説明する。
【００２７】
１０１は、外部のパソコン等からの画像データを入力するためのインターフェースである。
【００２８】
また、インクジェットプリンタの使用環境における温度を検出する手段としての温度センサ１０２、および湿度を検出する手段としての湿度センサ１０３を有している。
【００２９】
また、制御部１０４は、中央演算処理装置（ＣＰＵ）１０５、このＣＰＵ１０５が実行する制御プログラムや固定的なデータを不揮発的に格納するＲＯＭ１０６、プログラム実行時の作業領域や各種パラメータ等を格納するＲＡＭ１０７を備えている。ＲＡＭ１０７の少なくとも一部の領域は、プリンタの電源オフ後も記憶データを保持するように、バッテリバックアップメモリで構成される。あるいは、このメモリの代わりに、フラッシュメモリのような、不揮発性の書き換え可能メモリを用いてもよい。
【００３０】
１０９は搬送ローラ１、排出ローラ１２を駆動する紙搬送モータ２１を駆動する紙搬送モータドライバ、１１０はキャリッジ７の走査を行うキャリッジモータ２２を駆動するためのキャリッジモータドライバである。１１１はインクジェットヘッド４を駆動するためのヘッドドライバ、１１２はファンモータ３１を駆動するためのファンモータドライバである。
【００３１】
制御部１０４は、前述のインターフェース１０１、温度センサ１０２、湿度センサ１０３、および操作パネル１０８から入力される各種信号、データ等の演算や処理を行う。制御部１０４は、信号やデータの処理結果に基づき、紙搬送モータドライバ１０９、キャリッジモータドライバ１１０、ヘッドドライバ１１１、ファンモータドライバ１１２に駆動信号を与える。
【００３２】
１１３はプラテンの吸引圧力を検知する圧力センサである。圧力センンサ１１３はプラテン３の内部の空間３ｃの圧力を検知する。
【００３３】
印刷命令により印刷を開始すると、まず、温湿度センサ等による環境条件やユーザの入力等による印刷命令の各条件設定の認識を行う。
【００３４】
本例では本体内に湿度センサ１０３を設けて、湿度検知センサ１０３の検知結果に基づいて、プラテン吸引圧力を制御している。
【００３５】
上述したように、プラテンからの紙浮きを抑えるためのプラテン吸引圧力は、同一紙種でもプリンタの使用環境（温湿度）により異なっている。
【００３６】
図４は、本装置を使用する温湿度環境を示したものである。例えば、温度１０〜３０度、湿度１０〜８０％の範囲で使用する場合、低湿度環境Ａと高湿度環境Ｂとに区別する。
【００３７】
なお、本実施例では、湿度４０％未満を低湿度環境Ａ、湿度４０％以上を高湿度環境Ｂとしている。
【００３８】
表１は、前述した低湿度環境Ａ（表１では温湿度Ａと表示する）、高湿度環境Ｂ（表１では温湿度Ｂと表示する）それぞれの場合の吸引圧力を示した図である。そして、この分類に関して、プラテン吸引圧力の設定を変えている。
【００３９】
とくに、低湿度の乾燥した状態では、記録媒体の水分が蒸発するため、記録媒体の剛度が高くなる。そのため、低湿度環境下Ａでは、高湿度環境下Ｂよりも、大きい吸引圧力にするような制御を行っている。
【００４０】
なお、記録媒体の種類によって剛度が異なるため、これらは記録媒体の種類ごとに設定される。
【００４１】
【表１】
0005419576.tif 000002
【００４２】
次に、図５を用いて、図１で示される印字Ｘ方向に走査され装置による印字動作の様子を説明する。インクジェットヘッド４にはインク吐出ノズルが列状に複数設けられている（例えば１２８ノズルを直線的に並べてある）。キャリッジ７に取り付けられたこのインクジェットヘッド４は、記録媒体上を矢印Ｘの方向にインクを吐出しながら画像印字を行う。
【００４３】
例えば、図５に示した例では、最初に図上右方向へキャリッジ７を走査し、その間、そのバンドの印字情報にしたがってインクジェットヘッド４のノズル列から連続的にインク滴を吐出し、バンドＢ１の領域の印字を行う。インクジェットヘッド４が印字領域の右端に達したところで、記録媒体ＰをバンドＢ１の印字幅分、矢印Ｙ方向へ送り出した後、折り返し、バンドＢ２の印字を行う。同様に、このような動作を繰り返して全体の画像が形成される。即ち、全体の画像は、印字された複数のバンドの集合によって形成されることになる。１つのバンド印字終了毎に、次のバンド印字に先立って、紙搬送モータ２１により記録媒体Ｐを１バンド分送り出す必要がある。そして、上記バンドＢ１、Ｂ２は、記録媒体Ｐの種類に応じて設定されている。
【００４４】
しかし、吸引プラテンを持つ系では、プラテン吸引圧力は記録媒体へのバックテンションとなる。同一の記録媒体種でも、プラテン吸引圧力が異なる場合には、搬送誤差を異ならせ、画像劣化を導く。
【００４５】
そのため、本実施形態では、プラテン吸引圧力に応じた送り補正を行う。
【００４６】
本実施形態について、表２に示されるテーブルおよび、図６に示されるフローチャートを用いて説明する。
【００４７】
表２は、記録媒体の種類と吸引圧力に応じた補正値を設定したテーブルである。
【００４８】
設計段階で、記録媒体の種類、ファン吸引圧力ごとに、記録媒体の搬送量を測定し、記録媒体の目標位置に対する搬送量の未達量に応じてローラの回転量の送り補正値を決めていく。送り補正値は表２のようなテーブルをつくり、データ保持手段であるＲＯＭ１０６に書き込んでおく。
【００４９】
【表２】
0005419576.tif 000003
【００５０】
図６は、本実施形態の制御を示すフローチャートである。
【００５１】
ステップＳ１にて記録媒体Ｐをセットする。つぎにステップＳ２にてパソコンによる記録データ生成を行い、続くステップＳ３で実際に記録する記録媒体（光沢紙、マット紙、普通紙、など）および印字モード（印字速度、パス数など）が選択される。
【００５２】
このステップＳ２，Ｓ３の実行によりパソコンから画像信号とともに選択された結果がプリンタの制御部に送られる。
【００５３】
続いてステップＳ４で、データ保持手段であるＲＯＭ１０６に記憶されている表２のようなテーブルを参照し、湿度センサ１０３の吸着力設定値から必要な吸引圧を設定し、それに応じた送り補正値を設定する。
【００５４】
この補正値に従って、紙搬送部を制御する。すなわち、記録媒体を搬送量Ｌｍだけ搬送するための搬送ローラの回転量θ［ｄｅｇ］はスリップがない理論値では、
Ｌｍ＝πＤ（θ／３６０）・・・（式２）
よって
θ＝３６０Ｌｍ／（πＤ）・・・（式３）
となる。
【００５５】
スリップの分を表２から取得した補正値Ａ（Ｄと同じ単位になるように換算した値とする）で補正した搬送ローラの回転量θｃ［ｄｅｇ］は、
θｃ＝θ＋３６０Ａ／（πＤ）＝３６０（Ｌｍ＋Ａ）／（πＤ）・・・（式４）
となる。
【００５６】
このように、環境に応じたプラテン吸引圧力で紙浮きを抑えながら、印字動作を行うとともに、スリップによって生じる搬送誤差を補正するために搬送ローラ１の回転量がθｃになるように紙搬送モータ２１を制御する。
【００５７】
以上述べたとおり本実施形態によれば、ファン吸引圧力を考慮した搬送系制御を行うことにより、搬送精度を上げた補正が可能となり高画質が実現できる。
【００５８】
なお、ここまでローラの回転量の補正を行うという表現で説明をしたが、搬送手段の搬送量（搬送距離）に換算すれば搬送量を補正するという表現もできる。
【００５９】
また制御部１０４は、モータや駆動源の駆動量（回転量）を制御することによってローラの回転量を制御しているので、モータの駆動量に換算すれば、モータの駆動量を補正すると表現することもできる。
【００６０】
また、ここまで、表２のテーブルを用いて吸引圧力の設定値に対応する送り補正値を選択すると説明した。設定値とは制御目標値である。圧力センサ１１３で実際の吸引圧力を検知し、その情報によって制御部１０４は実際の吸引圧力が設定値に近づくように、あるいは設定値を中央値とする所定の範囲内になるようにファンモータドライバ１１２をフィードバック制御する。
【００６１】
設定値を用いずに、圧力センサ１１３で検知した吸引圧力に対応する補正値を選択しても良い。
【００６２】
（実施形態２）
表３は、給紙動作から排紙動作までのプラテン吸引圧力の推移を表した表である。また、図７は、プラテン吸引圧力の切替ポイントを示した図である。
【００６３】
インクジェットヘッドの４の上流側に位置する搬送ローラ１、ピンチローラ２を第１の搬送手段、インクジェットヘッドの下流側に位置する排出ローラ１２、拍車１３を第２の搬送手段とする。記録媒体の搬送に関与する搬送手段の組合せは給紙から排紙までの間に変化してゆく。
【００６４】
図７のように記録媒体の先端が排出ローラ１２、拍車１３に挟持されていない場合、記録媒体はプラテン３から浮き上がりやすい。したがって記録媒体の頭出しや、記録媒体の先端が排出ローラ１２、拍車１３に挟持されていない状態で記録を行う場合は吸引圧力を高くする（負圧を高くする）ことによって記録媒体の挙動が安定する。例えば、図７の印字領域１は、記録媒体が排出ローラ１２、拍車１３に挟持されていない状態で記録が行われる領域である。
【００６５】
表３は、記録媒体が搬送ローラ１、ピンチローラ２と排出ローラ１２、拍車１３の双方に同時に挟持されていないときの記録媒体の挙動を安定させるために、プラテンの吸引圧力を変化させる制御例である。表３によれば、記録媒体先端はプラテンからの紙浮きがしやすいため、給紙動作や印字領域１に記録しているときには高い吸引圧力で吸引している。ある程度紙を搬送した印字領域２に記録を行うときには、記録媒体が搬送ローラ１、ピンチローラ２と排出ローラ１２、拍車１３の双方に挟持されているので吸引圧力を下げる。さらに記録媒体が排出ローラ１２、拍車１３のみによって挟持されている排紙動作中では吸引圧力を上げる。このように搬送に関与している搬送手段の組合せに応じて吸着力を変化させる。
【００６６】
このような関係を示すシーケンスは、データ保持手段ＲＯＭ１０６に記憶されている。
【００６７】
そして、データ保持手段ＲＯＭ１０６に記憶されている表３と表２を参照しながら、シーケンスに応じた送り補正値で紙搬送制御を行う。
【００６８】
【表３】
0005419576.tif 000004
【００６９】
（実施形態３）
上記述べた構成に加えて、ローラが複数備えられている場合の記録媒体搬送方法についても述べる。
【００７０】
図８は本実施形態における２種類の領域の分割例を示す図であり、図９は記録媒体が搬送される過程における記録媒体と搬送ローラ及び排出ローラ、プラテンとの位置関係を説明する図である。
【００７１】
図８に示す領域Ａは図９（Ａ）に示すように記録媒体Ｐが搬送ローラ１のみによって搬送されている状態、または図９（Ｂ）に示すように搬送ローラ１と排出ローラ１２の２つのローラにより搬送されている状態において記録がなされる領域である。前記したように搬送ローラ１とピンチローラ２の挟持力は排出ローラ１２と拍車１３の挟持力よりも十分大きいため、図９（Ａ）の状態と図９（Ｂ）の状態とで搬送量は変わることがない。
【００７２】
図８に示す領域Ｂは、図９（Ｃ）に示すように記録媒体Ｐが排出ローラ１２のみで搬送されている状態で記録がなされる領域である。この領域Ｂにおいては、排出ローラ１２と拍車１３との狭持力が小さいため、プラテン吸引が搬送誤差に大き影響する。そのため、プラテン吸引圧力と搬送量補正値の対応テーブルは、領域Ａに記録しているときに使用する第１のテーブルと、領域Ｂに記録しているときに使用する第２のテーブルの２種類を用意する。
【００７３】
そして記録領域に対応したテーブルを用いて補正した搬送量によって搬送を行う。
【００７４】
具体的には、記録媒体を搬送ローラ１のみを用いて第１のテーブルに基づいて駆動量を補正して搬送し、次に、搬送ローラ１と排出ローラ１２の双方を同時に用いて第１のテーブルに基づいて駆動量を補正して搬送する。次に、記録媒体を排出ローラ１２のみを用いて前記第２のテーブルに基づいて駆動量を補正して搬送する。
【００７５】
本実施形態では、ローラが２本の場合を述べたが、ローラが複数本ある場合は、それぞれのローラに対して、送り補正値テーブルを用意しておく。そして、記録媒体の送りに関与中のローラの組み合わせによっても、送り補正値テーブルをさらに用意することは、言うまでもない。
【００７６】
上記の実施形態では、吸着力発生手段として負圧を発生させるファンを例にしたが、静電吸着式の場合にも適応可能ことは、言うまでもない。静電吸着式では、吸着力発生手段は記録媒体をプラテンに吸着させるためにプラテンを帯電させて静電吸着力を発生させる。あるいは電極を帯電させて静電吸着力を発生させ、その力でプラテンに記録媒体を吸着させる。
【符号の説明】
【００７７】
１  搬送ローラ
３  プラテン
４  インクジェットヘッド
１２  排出ローラ
１０４  制御部
Ｐ  用紙
【図１】
0005419576.tif 000005
【図２】
0005419576.tif 000006
【図３】
0005419576.tif 000007
【図４】
0005419576.tif 000008
【図５】
0005419576.tif 000009
【図６】
0005419576.tif 000010
【図７】
0005419576.tif 000011
【図８】
0005419576.tif 000012
【図９】
0005419576.tif 000013